(57)【要約】【課題】  業務用に用いるために使用用途が限定された特殊モードを用意したプリンタにおいて、特殊モードに遷移するためにあらかじめ決められた複雑なキー操作を必要とするものがあるが、キー操作を複雑にするとモード遷移が煩雑になる一方キー操作が単純であると所望しない場合にモード遷移されてしまうなども問題があった。【解決手段】  通常の動作モードとは別に特殊モードを持つ印刷装置において、特殊モードで使用するデータが存在しない場合には特殊モードに遷移するための切り替え画面を隠蔽することにより、所望していない時に誤った操作により特殊モードに遷移することを防止する。【選択図】  図８
2011037238.tif 000002
【特許請求の範囲】
【請求項１】
通常モードと通常モードとは異なる特殊モードとを有する印刷装置であって、
複数の操作部材が同時に操作されたことに応じて、前記通常モードから前記特殊モードへ切り替えるための切り替え手段と、
電源オンの操作に応じて、前記切り替え手段により切り替えられたモードで前記印刷装置を起動させる制御手段と、
前記特殊モードにおいて使用するデータを保持するための保持手段と、
前記特殊モードにおいて使用するデータが前記保持手段に保持されているか否かを判定する判定手段とを有し、
前記判別手段により前記特殊モードにおいて使用するデータが保持されていないと判定された場合は、前記切り替え手段は、前記複数の操作部材が同時に操作されても、前記通常モードから前記特殊モードへの切り替え処理を行わないことを特徴とする印刷装置。
【請求項２】
前記切り替え手段は、前記特殊モードが設定されている場合に前記複数の操作部材が同時に操作されたことに応じて前記特殊モードから前記通常モードへ切り替えて、前記通常モードが設定されている場合に前記複数の操作部材が同時に操作されたことに応じて、前記特殊モードから前記通常モードへの切り替えを行い、
前記判別手段により前記特殊モードにおいて使用するデータが保持されていると判定された場合は、前記切り替え手段は前記特殊モードへの切り替えを可能とし、前記判別手段により前記特殊モードにおいて使用するデータが保持されていないと判定された場合は、前記切り替え手段は前記通常モードへの切り替え処理を可能とすることを特徴とする請求項１に記載の印刷装置。
【請求項３】
前記切り替え手段は、前記判別手段により前記特殊モードにおいて使用するデータが保持されていると判定された場合は、前記通常モードへの切り替えを不可能とし、前記判別手段により前記特殊モードにおいて使用するデータが保持されていないと判定された場合は、前記特殊モードへの切り替えを不可能とすることを特徴とする請求項２に記載の印刷装置。
【請求項４】
前記印刷装置が電源オフの状態で前記複数の操作部材が操作されたことに応じて、前記切り替え手段は、モードの切り替え処理を行うことを特徴とする請求項１ないし３のいずれか１項に記載の印刷装置。
【請求項５】
通常モードと通常モードとは異なる特殊モードとを有する印刷装置であって、
複数の操作部材が同時に操作されたことに応じて、前記特殊モードから前記通常モードへ切り替えるための切り替え手段と、
電源オンの操作に応じて、前記切り替え手段により切り替えられたモードで前記印刷装置を起動させる制御手段と、
前記特殊モードにおいて使用するデータを保持するための保持手段と、
前記特殊モードにおいて使用するデータが前記保持手段に保持されているか否かを判定する判定手段とを有し、
前記判別手段により前記特殊モードにおいて使用するデータが保持されていると判定された場合は、前記切り替え手段は、前記複数の操作部材が同時に操作されても、前記特殊モードから前記通常モードへの切り替え処理を行わないことを特徴とする印刷装置。
【請求項６】
通常モードと通常モードとは異なる特殊モードとを有する印刷装置であって、
複数の操作部材が同時に操作されたことに応じて、前記通常モードから前記特殊モードへ切り替えるための切り替え画面を表示する表示手段と、
電源オンの操作に応じて、前記切り替え画面において切り替えられたモードで前記印刷装置を起動させる制御手段と、
前記特殊モードにおいて使用するデータを保持する保持手段と、
前記特殊モードにおいて使用するデータが前記保持手段に保持されているか否かを判定する判定手段と、
前記判別手段により前記特殊モードにおいて使用するデータが保持されていないと判定された場合は、前記表示手段は、前記複数の操作部材が同時に操作されても、前記通常モードから前記特殊モードへ切り替えるための切り替え画面を表示せずに隠蔽することを特徴とする印刷装置。
【請求項７】
前記表示手段は、前記特殊モードであるときに前記複数の操作部材が同時に操作されたことに応じて、前記特殊モードから前記通常モードへ切り替るための画面を表示し、
前記印刷装置が前記特殊モードであるときに前記判別手段により前記特殊モードにおいて使用するデータが保持されていると判定された場合は、前記表示手段は、前記特殊モードから前記通常モードへ切り替るための画面を表示しないことを特徴とする請求項６に記載の印刷装置。
【請求項８】
前記印刷装置が電源オフの状態で前記複数の操作部材が操作されたことに応じて、前記表示手段は、モードの切り替え画面を表示することを特徴とする請求項６または７に記載の印刷装置。
【請求項９】
通常モードと通常モードとは異なる特殊モードとを有する印刷装置であって、
複数の操作部材が同時に操作されたことに応じて、前記特殊モードから前記通常モードへ切り替えるための切り替え画面を表示する表示手段と、
電源オンの操作に応じて、前記切り替え画面において切り替えられたモードで前記印刷装置を起動させる制御手段と、
前記特殊モードにおいて使用するデータを保持するための保持手段と、
前記特殊モードにおいて使用するデータが前記保持手段に保持されているか否かを判定する判定手段と、
前記判別手段により前記特殊モードにおいて使用するデータが保持されていると判定された場合は、前記表示手段は、前記複数の操作部材が同時に操作されても、前記特殊モードから前記通常モードへ切り替えるための切り替え画面を表示しないことを特徴とする印刷装置。
【請求項１０】
前記特殊モードは、前記印刷装置における設定可能な印刷条件が制限されているモードであることを特徴とする請求項１ないし９のいずれか１項に記載の印刷装置。
【請求項１１】
前記特殊モードは、必ず前記特殊モードにおいて使用するデータと画像とを合成して画像を印刷するモードであることを特徴とする請求項１０に記載の印刷装置。
【請求項１２】
前記特殊モードにおいて使用するデータは、画像に合成するフレーム、スタンプ、カレンダーのうち少なくとも１つであることを特徴とする請求項１ないし１１のいずれか１項に記載の印刷装置。
【請求項１３】
前記複数の操作部材は、電源オンを指示するための操作部材を含むことを特徴とする請求項１ないし１２のいずれか１項に記載の印刷装置。
【請求項１４】
前記保持手段は、前記特殊モードで使用可能なデータと前記通常モードで使用可能なデータも保持可能であり、前記特殊モードで使用可能なデータには特定の情報が付加されていることを特徴とする請求項１ないし１３のいずれか１項に記載の印刷装置。
【請求項１５】
前記特殊モードは、必ず前記特殊モードにおいて使用するデータと画像とを合成して画像を印刷するモードであり、
前記特殊モードにおいて使用するデータは、複数のグループに割り当てられており、前記特殊モードにおいては、１つのグループのデータのみを使用可能とする請求項１ないし５のいずれか１項に記載の印刷装置。
【請求項１６】
前記特殊モードは、必ず前記特殊モードにおいて使用するデータと画像とを合成して画像を印刷するモードであり、
前記特殊モードにおいて使用するデータは、複数のグループに割り当てられており、前記特殊モードにおいては、１つのグループのデータのみを使用可能とし、
前記切り替え画面において、使用可能とするデータのグループを選択可能とすることを特徴とする請求項６ないし９のいずれか１項に記載の印刷装置。
【請求項１７】
通常モードと通常モードとは異なる特殊モードとを有し、電源オンの操作に応じて、設定されているモードで起動する印刷装置の制御方法であって、
複数の操作部材が同時に操作されたことに応じて、前記通常モードから前記特殊モードへ設定を切り替えるための切り替え工程と、
前記印刷装置の保持手段に、前記特殊モードにおいて使用するデータが前記保持手段に保持されているか否かを判定する判定工程とを有し、
前記判別工程で前記特殊モードにおいて使用するデータが保持されていないと判定された場合は、複数の操作部材が同時に操作されても、前記切り替え工程による前記通常モードから前記特殊モードとの切り替えは行わないことを特徴とする印刷装置の制御方法。
【請求項１８】
通常モードと通常モードとは異なる特殊モードとを有し、電源オンの操作に応じて、設定されているモードで起動する印刷装置の制御方法であって、
複数の操作部材が同時に操作されたことに応じて、前記特殊モードから前記通常モードへ設定を切り替えるための切り替え工程と、
前記印刷装置の保持手段に、前記特殊モードにおいて使用するデータが前記保持手段に保持されているか否かを判定する判定工程とを有し、
前記判別工程で前記特殊モードにおいて使用するデータが保持されていると判定された場合は、複数の操作部材が同時に操作されても、前記切り替え工程による前記特殊モードから前記通常モードとの切り替えは行わないことを特徴とする印刷装置の制御方法。
【発明の詳細な説明】
【技術分野】
【０００１】
本発明は、画像を印刷するための印刷装置において、通常モードとは異なる特殊モードを有する印刷装置に関する。
【背景技術】
【０００２】
従来の印刷装置に、印刷装置が複数の動作モードを持つ場合、印刷対象のデータの属性を判断して印刷モードを決定する方式がある。（例えば、特許文献１参照。）このとき印刷装置は印刷対象の属性から印刷モードを判断し、ユーザーが操作するためのメニューをモードに合わせて生成して表示を行う。複数のモードとは自動モードと白黒、カラーモードの２つのモードであり、ユーザーはまず自動モードか白黒、カラーモードのどちらかを選択する必要がある。白黒、カラーモードを選択した場合に、印刷対象の画像の属性を見て、白黒印刷かカラー印刷かを判断し、それぞれにあった設定メニューを表示する方法である。
【先行技術文献】
【特許文献】
【０００３】
【特許文献１】特開２００８−１５２７５３
【発明の概要】
【発明が解決しようとする課題】
【０００４】
しかしながら、特許文献１に開示された従来技術は、自動モードとカラーモードとを切り替えて使用する場合では有効であるが、印刷機能を制限するモードと通常のモードとを印刷対象の画像の属性に応じて切り替えても、有効ではない。
【０００５】
また、主として業務用に用いるために用いられる業務用モードのような特殊なモードと一般ユーザ向けの通常モードを用意したプリンタにおいて、特殊なモードに遷移するためにあらかじめ決められた複雑なキー操作を必要とするものがある。しかし、キー操作を複雑にするとモード遷移が煩雑になる。一方、キー操作が単純であると、プリンタを業務用としてでなく通常モードでの使用を所望する場合に、モード遷移されてしまう。一般ユーザは業務用モードで使用する必要はないため、業務用モードに遷移しても困るなどという問題があった。
【０００６】
本発明は、業務用に用いるために用いられる印刷機能を制限する特殊なモードを設けた印刷装置において、特殊モードの操作性を向上させ、簡単な操作で業務用モードを使用可能な印刷装置を提供することを目的とする。
【課題を解決するための手段】
【０００７】
上述の課題を解決するため、本発明の印刷装置は、通常モードと通常モードとは異なる特殊モードとを有する印刷装置であって、複数の操作部材が同時に操作されたことに応じて、通常モードから特殊モードへ切り替えるための切り替え手段と、電源オンの操作に応じて、切り替え手段により切り替えられたモードで印刷装置を起動させる制御手段と、特殊モードにおいて使用するデータを保持するための保持手段と、特殊モードにおいて使用するデータが保持手段に保持されているか否かを判定する判定手段とを有し、判別手段により特殊モードにおいて使用するデータが保持されていないと判定された場合は、切り替え手段は、複数の操作部材が同時に操作されても、通常モードから特殊モードへの切り替え処理を行わないことを特徴とする。
【０００８】
上述の課題を解決するため、本発明の印刷装置は、通常モードと通常モードとは異なる特殊モードとを有する印刷装置であって、複数の操作部材が同時に操作されたことに応じて、特殊モードから通常モードへ切り替えるための切り替え手段と、電源オンの操作に応じて、切り替え手段により切り替えられたモードで印刷装置を起動させる制御手段と、特殊モードにおいて使用するデータを保持する保持手段と、特殊モードにおいて使用するデータが保持手段に保持されているか否かを判定する判定手段とを有し、判別手段により特殊モードにおいて使用するデータが保持されていると判定された場合は、切り替え手段は、複数の操作部材が同時に操作されても、特殊モードから通常モードへの切り替え処理を行わないことを特徴とする。
【発明の効果】
【０００９】
本発明によれば、特殊モードの操作性を向上させ、簡単な操作で業務用モードを使用可能な印刷装置を提供することを目的とする。
【図面の簡単な説明】
【００１０】
【図１】本発明に係る印刷装置の構成を表すブロック図である。
【図２】印刷装置の操作部および表示部を表す図である。
【図３】本発明に係る印刷装置の通常モードでの設定を変更する処理を示すフローチャートである。
【図４】本発明に係る印刷装置の業務用モードでの設定を変更する処理を示すフローチャートである。
【図５】第１の実施形態における印刷装置の表示画面の例である。
【図６】第１の実施形態における印刷装置の表示画面の例である。
【図７】第２の実施形態における印刷装置の表示画面の例である。
【図８】本発明に係る印刷装置の動作モード切り替え方法の処理を示すフローチャートである。
【図９】コンテンツデータの構造を示すデータ構造図である。
【図１０】本発明に係る印刷装置のコンテンツデータを更新するための処理を示すフローチャートである。
【発明を実施するための形態】
【００１１】
以下に、本発明の好ましい実施の形態を、添付の図面に基づいて詳細に説明する。
【００１２】
＜第１の実施形態＞
図１は本発明による印刷装置の構成を表すブロック図である。
各ブロックの動作はＣＰＵ１００によって制御され、ＣＰＵ１００の指示により各種データはブロックからブロックにフローコントロールされ各ブロックはＣＰＵ１００の指示内容に従ってデータを処理する。バス１１１は各ブロックを接続するバスで、ブロック間のデータのやり取りはバスを通して行われる。
また、これらの各ブロックは、ＣＰＵ１００によって制御される。ＣＰＵ１００はプログラムメモリ（不図示）からプログラムコードを読み出し、読み出したプログラムに基づいて各ブロックの制御を行う。
【００１３】
表示部１０１はＬＣＤ２０８および表示制御部からなり、各ブロックからの表示要求に対応してＬＣＤ２０８に表示する表示画面データを作成し、ＬＣＤ２０８に表示画面を表示させる。
【００１４】
操作部１０２は図２のような操作部材を有しており、操作部材を操作することにより、ユーザーは印刷装置に指示を入力する。１０３は、入力された各種データや演算処理に用いるデータ、プログラムデータ等を一時的に記憶するための記憶部である。ＩＯ制御部１０４はメモリカード（不図示）へのデータの読み書きを制御している。デジタルカメラなどで撮影した画像が記録されたメモリカードがＩＯ制御部１０４のカードスロットに装着されると、メモリカードから画像を読み出し、読み出した画像は表示部１０１に表示される。メモリカードはバス１１１に直接接続できないのでＩＯ制御部１０４を通して各ブロックとデータのやり取りを行う。
【００１５】
１０５は画像再生部である。画像再生部ではＩＯ制御部１０４を通してメモリカードに保持されている画像データを読み出し、デコード処理を行って表示可能な形式に変換する。
【００１６】
モード管理部１０６は、印刷装置のモードの管理およびモードの切り替え制御を行う。モード切り替え処理により設定されたモードを記録しておき、印刷装置の電源オンが指示された場合は、モード管理部１０６で設定されているモードで起動される。モードの切り替えは、電源オフの状態で複数の操作部材を同時に押下することにより可能となる。そのため、一度、印刷装置を起動させると、起動中はモードの変更は不可能であり、起動中はずっと同じモードで動作する。
【００１７】
コンテンツ管理部１０７は、画像に合成するフレームやスタンプ等の各種コンテンツデータを保持する。印刷部１０８は各ブロックからの印刷要求に対応し、レイアウトデータ、コンテンツデータ、画像データを印刷用のデータに変換する。印刷データはイエロー（Ｙ）、マゼンタ（Ｍ）、シアン（Ｃ）の３色から構成され用紙一枚分のサイズのＹ／Ｍ／Ｃ各色のデータを順次作成し、Ｙ／Ｍ／Ｃ各色の印刷データを、印刷用紙に印刷する。画像処理部は、画像に対して、色変換や補正処理等の画像処理を施す。印刷設定管理部１１０は、モードごとに変更される表示設定項目の管理、設定を行っている。
【００１８】
メモリカードに記録されている画像を、表示部１０１に画像を表示する場合、ＩＯ制御部１０４がメモリカードの画像を読み出す。ＩＯ制御部１０４から読み込まれた画像は記憶部１０３に一時的に記憶される。記憶された画像は、画像再生部１０５で再生され、画像処理部１０９で画像処理が施されて、表示部１０１に表示される。メモリカード内の画像はユニークな識別番号（以下画像ＩＤ）によって管理識別を行う。画像再生部において再生された画像に装飾を施す場合、画像処理部１０９において装飾のための合成処理を行う。
【００１９】
操作部１０２の操作部材が操作されて印刷が指示されると、ＣＰＵ１００は表示部１０１で表示している画像を印刷部１０８に送り、印刷処理を開始する。
【００２０】
また、本発明の印刷装置では、また、主として業務用に用いるために、選択可能な印刷条件を制限した業務用モードのような特殊モードと一般ユーザ向けの通常モードとがある。通常モードでは画像をそのまま加工せずに印刷を行う通常印刷とコンテンツと呼ばれるフレームやスタンプを自由に画像に合成して印刷を行うクリエイティブ印刷が可能である。クリエイティブ印刷ではコンテンツ管理部１０７の管理するコンテンツを画像に合成して表示部１０１に表示する。それに対し、業務用モードでは、必ず画像に業務用モード専用のフレーム、スタンプ、カレンダーのうちのいずれか１つを合成して印刷する。
【００２１】
操作部１０２の操作部材を操作することによって画像に合成するコンテンツを選択し、表示部１０１で合成後の状態を確認したうえで印刷することができる。
【００２２】
モード管理部１０６により業務用モードが設定されている場合は、クリエイティブ印刷のみ使用可能となる。業務用モードは、企業やイベント主催者が顧客に使用してもらう目的で本発明による印刷装置を設置する場合に使用するモードで、通常モードとは異なり通常印刷はできずにクリエイティブモードでのみ動作する。クリエイティブモードで使用できるコンテンツも通常モードのコンテンツとは異なり、企業やイベント主催者が特別に用意したコンテンツのみが使用される。つまり、業務用モードでは、必ず、ユーザが印刷対象として選択した画像と企業やイベント主催者が特別に用意した業務用専用コンテンツとを合成して、画像が印刷される。
【００２３】
コンテンツ管理部１０７には、業務用モード専用コンテンツと通常モードようのコンテンツを保持可能であり、印刷装置のモードに応じたコンテンツをコンテンツ管理部が提供する。
【００２４】
ＩＯ制御部１０４から読み込まれた画像は記憶部１０３に一時的に記憶され、記憶された画像は表示部１０１に表示されるが必ずコンテンツ管理部１０７から提供された業務用モード専用コンテンツを合成した状態で表示される。
【００２５】
業務用モード専用コンテンツが複数ある場合には操作部１０２の操作部材を操作することにより画像に合成するコンテンツを選択することができる。
【００２６】
業務用モードでも通常モードと同じく表示部１０１に表示された合成画像表示を確認し、操作部１０２の操作部材を操作して印刷が指示されるとＣＰＵ１００は操作部１０２の画像を印刷部１０８に送り、印刷を指示する。
【００２７】
図２は本発明に係る印刷装置の操作部および表示部（ＬＣＤ２０８）である。
操作パネル２０１上に各操作部材と表示装置（ＬＣＤ）が配置されている。２０２は電源ボタンで本システムの電源のオンオフに使用され、電源ボタン２０２が押下されたことに応じて電源のオンオフが切り変わる。通常、電源オフの状態で電源ボタン２０２が押下され、電源オンが指示されたら、モード管理部に記録されている現在設定されているモードで起動するが、電源ボタン２０２と共に特定の操作部材も押下された場合は、図８のようなモード切り替え処理を行う。２０３はＥＤＩＴボタンでトリミング印刷や印刷設定の変更、画像の編集に使用される。２０４はＤＩＳＰボタンで画面表示の切り替えに使用される。２０５はＭＥＮＵボタンでメニューの表示に使用される。２０６は拡大ボタンで表示画像の拡大や、表示モードの切り替えに使用される。
【００２８】
２０７は縮小ボタンで拡大再生中の画像の拡大率を下げる、表示モードの切り替えに使用される。２０８は表示装置（ＬＣＤ）は、画像の表示、各種アイコン、印刷設定の表示などに使用される。２０９はＳＥＴボタンで各種選択項目の決定、次画面への切り替えなどに使用される。２１０は上ボタンでトリミング枠の移動、画像拡大表示中のビュー移動に使用される。２１１は右ボタンで表示画像を１つ先に進める、トリミング枠の移動、画像拡大表示中のビュー移動に使用される。２１２は下ボタンでトリミング枠の移動、画像拡大表示中のビュー移動に使用される。２１３は左ボタンで表示画像を１つ前に戻す、トリミング枠の移動、画像拡大表示中のビュー移動に使用される。２１４はＰＲＩＮＴボタンで印刷の開始に使用される。２１５はＢＡＣＫボタンで前の画面に戻るために使用される。２１６は＋ボタンで印刷枚数を増やすために使用される。２１７は―ボタンで印刷枚数を減らすために使用される。
【００２９】
本発明による印刷装置には、通常モードと機能制限される業務用モードが存在し、あらかじめ起動モードを設定しておくことで再度設定を変更するまでは同じモードで動作を続ける。モードは通常モードと業務用モードの２つに限らず、複数のモードを持たせてもよい。
【００３０】
通常モードは、画像の再生、印刷、画像の装飾印刷、オートプレイなどが可能であり、画像にフレームやスタンプ、カレンダー等の装飾用コンテンツを合成して印刷を行うときは、クリエイティブメニューからそれぞれの合成印刷を行う。業務用モードは、フレーム印刷のみが可能であり、使用可能な機能が制限されたモードである。もちろん、フレーム印刷に限らずほかの機能だけに制限してもよい。
【００３１】
図３は本発明による印刷装置の通常モードで設定を変更する処理の流れを示すフローチャートである。
これらの処理は、ＣＰＵ（不図示）の制御のもとでおこなわれる。
【００３２】
電源ボタン２０２を押すと本印刷装置が起動し、ＩＯ制御部１０４がメモリカード内の画像を読み込む。画像再生部がメモリカード内の画像をＬＣＤ２０８に表示を行う。
【００３３】
印刷装置の起動時には、日付の新しい最新の画像をＬＣＤ２０８に表示する。印刷の設定を変更するには、メニューボタン２０５を押下してメインメニューを表示する。（ステップＳ３２）メインメニュー内の印刷の設定の項目を選択し、そこから所望の印刷の設定の変更を行う。（ステップＳ３３）印刷の設定変更の終了後、装飾印刷を行うために、画像装飾用のメニューを表示し（ステップＳ３４）、画像装飾用メニューから所望の装飾機能を選択する（ステップＳ３５）。印刷設定を変更せずに画像装飾印刷を行うには、ステップＳ３１で画像装飾用のメニューを表示し、画像装飾用メニューから所望の装飾機能を選択する。通常モードの場合は、装飾印刷を行うためには画像装飾用メニュー表示し、そこから所望の装飾印刷を選択する必要がある。
【００３４】
図４は本発明による印刷装置の業務用モードで印刷処理を行う処理の流れを示すフローチャートである。
【００３５】
これらの処理は、ＣＰＵ（不図示）の制御のもとでおこなわれる。
電源ボタン２０２を押すと本印刷装置が起動し、ＩＯ制御部１０４がメモリカード内の画像を読み込む。画像再生部がメモリカード内の画像をＬＣＤ２０８に表示を行う。業務用モードでは、電源ボタン２０２を押すとすぐに所望の装飾機能を開始することができる。
【００３６】
印刷装置の起動時には、日付の新しい最新の画像をＬＣＤ２０８に表示する。ＬＣＤ２０８に表示された画像を上下左右ボタン２１０〜２１３を使って画像送りをして、印刷する画像を選択する。（ステップＳ４１）業務用モードでは、設定可能な項目を制限することでユーザーを選ぶことなく必要な設定項目のみを簡単に設定変更することができる。本実施形態では赤目設定を例に説明を行う。選択した画像を見て赤目補正をかける必要がある場合は（ステップＳ４２）、サブメニューから赤目設定の入切を設定する（ステップＳ４６）。画像選択画面のサブメニューから設定を行うため、赤目設定変更後も画像は自由に変更できる。業務用モードでは設定する項目が限定されるため、メニューを開くことなく必要な設定のみをサブメニューから行う。
【００３７】
画像が決定したら、画像を装飾するフレームを選択する（ステップＳ４３）。フレーム選択後、画像の拡大、縮小や画像の位置を調整する（ステップＳ４４）。画像の装飾が終わったら印刷を行う（ステップＳ４５）。
【００３８】
図５（ａ）は業務用モードにおける画像選択画面である。編集ボタン２０３を押下すると図５（ｃ）の画面が表示され、左右ボタン２１１、２１３で入切の設定変更が可能である。ＳＥＴボタン２０９押下で確定、ＢＡＣＫボタン２１５押下でキャンセルして画像選択画面に戻り、ＳＥＴボタン２０９押下でフレーム選択画面図５（ｂ）を表示する。
【００３９】
業務用モードでは図５（ａ）のように画像選択画面から設定変更を可能とすることで、ユーザーを選ぶことなく誰でも簡単に設定の変更が可能となる。
【００４０】
ここでは赤目補正のみを例に説明したが、サブメニューから設定可能な項目は１つと限らず、図５（ｄ）のように複数の設定を行うこともできる。
【００４１】
業務用モードで設定可能な項目を設定するには、通常モードの印刷設定画面図６（ａ）から表示項目の設定を行う。図３のステップＳ３３、印刷の設定変更画面図６（ａ）から「制限モード設定」を選択しＳＥＴボタン２０９を押下すると図６（ｂ）の制限モード表示項目選択画面が表示される。制限モード表示項目選択画面において、表示非表示の設定をすることができる。ここで設定された項目は、業務用モードにおいて設定が可能な項目となる。
【００４２】
本実施形態では通常モードによって設定可能な項目を設定したが、あらかじめプログラムによって業務用モードにおいて設定可能な項目を決めておけば、通常モードで設定を行う必要もない。
【００４３】
本実施形態の印刷装置では、機能の制限された印刷モードにおいて、設定可能項目の制限し、設定方法を通常モードと変更することによって、より簡単に必要な設定のみを行うことができる。
【００４４】
＜第２の実施形態＞
第２の実施形態の印刷装置では、第１の実施形態のように通常モードにおいて設定した機能制限モードにおける印刷設定の項目表示をシーンごとに設定する方法を示す。第２の実施形態の印刷装置は基本的に第１の実施形態の印刷装置と同じ構成であるため、異なる部分のみを説明する。
【００４５】
通常モードにおける機能制限モードの表示項目設定のために印刷の設定画面から設定を行う処理の流れと、機能制限モードにおいて画像選択画面からサブメニューで設定を変更する処理の流れは実施形態１と同様である。
【００４６】
ステップＳ３３において図６（ａ）で制限モード設定を選択すると図７（ａ）のシーン選択画面が表示される。シーン選択画面から設定したい所望のシーンを選択すると、図７（ｂ）のようなそれぞれのシーンの設定項目画面が表示される。シーンの設定項目画面で各印刷設定の設定を行う。実施形態１と異なり、実施形態２では印刷設定の項目の入切ではなく、各項目の設定値を決定する。
【００４７】
図４のステップＳ４６においてサブメニューから設定変更をした場合は図７（ａ）と同様なシーンを選択する画面が表示される。シーンを選択すると、通常モードで設定したシーンごとの設定値がまとめて設定される。ここで設定された設定値は印刷確認画面で確認することができる。
【００４８】
本発明は、設定項目をシーンごとにまとめて設定しておくことによって、機能制限モードにおける印刷の設定で多数の設定項目をより簡単に行うことが可能となる。
【００４９】
＜第３の実施形態＞
第３の実施形態では、第１および第２の実施形態の印刷装置における、動作モード（通常モードと業務用モード）の切り替えの処理について説明する。第３の実施形態の印刷装置は基本的に第１および第２の実施形態の印刷装置と同じ構成であるため、異なる部分のみを説明する。
【００５０】
図８は本発明による動作モード切り替え方法の処理の流れを示すフローチャートである。
Ｓ８０１において操作部１０２の操作部材の操作内容を判定する。
本実施例では、電源オフの状態で、操作部１０２に配置された印刷ボタン２１４と拡大ボタン２１６を同時に押しながら電源ボタン２０２を押して印刷装置の起動が指示された場合にキーが一致したと判定し、動作モード切り替え処理を行う。キーが不一致であると判定されたら動作モード切り替え処理は何もせずに終了し、印刷装置はモード管理部１０６が示す、前に設定されているモードで起動する。
【００５１】
Ｓ８０１においてキーが一致したと判定されたらＳ８０２において業務用モード専用のコンテンツデータコンテンツ管理部に保持されているかどうかを判定する。業務用モード専用のコンテンツデータは一般使用者向けの印刷装置には搭載されていない。業務用モード専用コンテンツは、企業名やロゴ、イベント名、イベントのロゴ等の、業務用専用に作成されたデータである。業務用モードで使用するための印刷装置には、予め業務用モード専用コンテンツを保持させておく。業務用モード専用のコンテンツが保持されていない印刷装置に後から専用コンテンツを追加することも可能であるが、業務用として使用することが明らかである場合には製造時にあらかじめ搭載しておく。また業務用モード専用のコンテンツはあとから削除することも可能である。したがって、通常、一般ユーザはこの業務用コンテンツデータを取得することはできない。一般ユーザは、通常モード用のコンテンツであれば、ＣＤＲＯＭやメモリカード、ネットワーク経由で取得し、印刷装置内に記憶して、印刷時に使用することが可能である。
【００５２】
Ｓ８０２において業務用モード専用コンテンツデータがあると判定されたらＳ８０３において通常モードか業務用モードかを判定する。すでに業務用モードであった場合には動作モード切り替え処理は何もせずに終了し、印刷装置は業務用モードで起動する。
【００５３】
このことにより、すでに業務用モードとして使用されている印刷装置がイベント参加者など一時的な使用者の偶然の操作によりＳ８０１でキーの一致があったとしてもＳ８０４のモード選択画面を表示しない。従って、通常モードに遷移することができず、モード変更することなく業務用モードのまま使用することができる。
【００５４】
Ｓ８０３において通常モードであると判定されたらＳ８０４でモード選択画面を表示部１０１に表示する。モード選択画面では通常モードと業務用モードが選択可能で使用者は操作部１０２の操作部材で任意のモードを選択し、決定する。
【００５５】
業務用モード専用コンテンツデータは類別した複数のグループを定義可能で複数のグループが存在する場合には複数の業務用モードから選択可能である。
【００５６】
Ｓ８０５において通常モードと業務用モードのどちらが選択されたかを判定する。
【００５７】
通常モードを選択した場合は動作モード切り替え処理は何もせずに終了し、印刷装置は通常用モードで起動する。複数の業務用モードが選択可能な状態で業務用モードを選択した場合はＳ８０６において業務用モードＡを選択したかどうかを判別する。Ｓ８０６において業務用モードＡが選択されたと判定されたらＳ８０８において業務用モードＡに遷移し、動作モード切り替え処理は終了して、印刷装置は業務用モードＡで起動する。
【００５８】
Ｓ８０６において業務用モードＡを選択しなかった場合にはＳ８０７において業務用モードＢを選択したかを判定する。業務用モードＢを選択したと判定されたらＳ８０９において業務用モードＢに遷移し、動作モード切り替え処理は終了して、印刷装置は業務用モードＢで起動する。
【００５９】
Ｓ８０７において業務用モードＢを選択しなかったらモード切り替え処理は終了して、印刷装置は通常モードで起動する。
【００６０】
本実施形態では２つのグループの業務用モード専用コンテンツデータがあるとしているがさらに多くのグループの業務用モード専用コンテンツデータがある場合にはＳ８０６，Ｓ８０７と同様の判定を引き続き行い選択された業務用モードに遷移する。
【００６１】
Ｓ８０２において業務用モード専用のコンテンツデータが存在しないと判定されたら、Ｓ８１０において現在の動作モードが通常モードであるか業務用モードであるかを判定する。
【００６２】
通常モードであると判定されたらＳ８１１においてコンテンツ更新画面を表示する。
【００６３】
業務用モード専用のコンテンツデータをもたない印刷装置はこの画面から業務用モード専用コンテンツデータを読み込むことができる。
【００６４】
業務用モード専用のコンテンツデータをもたない印刷装置はＳ８０４のモード選択画面を表示することができないので業務用モードで使用するコンテンツデータを持たない場合には業務用モードに遷移することができない。
【００６５】
業務用モード専用コンテンツデータはあらかじめ決められたデータフォーマットで１つの塊のデータとして専用アプリケーションで作成され、メモリカードに保存した状態でＩＯ制御部１０４から読み込むなどして印刷装置に保存することができる。
【００６６】
コンテンツ更新画面においてコンテンツ更新が指示されなかったら動作モード切り替え処理は終了し、印刷装置は通常モードで起動する。
【００６７】
コンテンツ更新画面に置いてコンテンツ更新が指示されたらコンテンツを更新し、Ｓ８０４へ進む。
Ｓ８０４からの処理はすでに述べた。
Ｓ８１０において業務用モードであると判定されたらＳ８１３において通常モードに遷移する。
【００６８】
Ｓ８１０において業務用モードと判定されるのは業務用モードで動作していた印刷装置の業務用モード専用コンテンツを削除した状態である。業務用モードから通常モードに変更するためにはまず業務用モード専用コンテンツデータを削除してからＳ８１０、Ｓ８１３のシーケンスを通さねばならないことに他ならない。
【００６９】
したがって業務用モード専用コンテンツを削除していない状態で、すでに業務用モードとして使用されている印刷装置は、通常モードへの切り替えを不可能としている。そのため、偶然の操作によりＳ８０１でキーの一致があったとしてもモード変更することはなく、業務用モードのまま使用することができる。
【００７０】
図９は業務用モード専用コンテンツデータのデータ構成図である。
コンテンツデータは１レコード４バイトで構成されている。
９０１はコンテンツデータブロックに格納されているコンテンツデータの数を示す。９０２は次データへのオフセットを示している。この場合は９０１コンテンツ数が最初のデータとなり、次データは９０３コンテンツ番号となるので９０１から９０３までのバイト数が格納される。具体的には９０１から９０３までは２レコードあり、１レコードが４バイトなので８が格納されることになる。９０３以下は個々のコンテンツデータが格納される。９０３はコンテンツ番号であり、０から始まりコンテンツデータブロック内でユニークな連続した番号が割り当てられている。９０３がコンテンツ番号０番であるとすると９０４次データへのオフセットには９０３からコンテンツ番号１番のコンテンツ番号が格納されている領域までのオフセットが格納される。コンテンツデータは個々のコンテンツにより大きさが異なるのでコンテンツごとに同じオフセットが格納されるわけではない。９０５はコンテンツのグループ番号が格納される。この場合９０３がコンテンツ番号０であるとするとコンテンツ番号０番のコンテンツが何番のグループに所属するかがこの領域を参照することでわかる。このグループ番号は業務用モードの類別に使用される。図８のＳ８０４において切り替え可能なモード選択画面を表示する際にコンテンツのグループ番号ごとに選択可能な業務用モードを割り当てる。また、Ｓ８０２で、業務用モード専用のコンテンツがあるかを判断する際には、コンテンツ管理部１０８に保持されているコンテンツの中に、業務用のコンテンツであることを示す情報が付加されているコンテンツがあるかで判断する。このとき、グループ番号が「０」であるものを通常モード用のコンテンツとし、グループ番号が「０」以外ものを業務用であると判断しても良い。また、グループ番号を用いて業務用のコンテンツであるかを判別せずに、業務用コンテンツであることを示すフラグを立てておいても良い。
【００７１】
したがってグループが３つあれば選択可能な業務用モードは３つ表示されることになる。また、業務用モードに遷移してからは選択された業務用モードに属するグループのコンテンツしか選択できない。９０６は個々のコンテンツデータの本体である。本実施例にではフレームデータなどがｂｉｔｍａｐデータとして格納されている。９０６の次にはコンテンツ番号１番に対応するコンテンツ番号、次データへのオフセット、グループ番号、コンテンツデータが同様に格納される。コンテンツデータは９０１のコンテンツ数の分だけ連続して格納される。最終のコンテンツデータに対する９０４次データへのオフセットは０が格納され、最終データであることの判定に使用することもできる。
【００７２】
本実施形態では、業務用専用コンテンツのグループが複数ある場合について説明したが、グループが１つしか記憶されていない場合は、Ｓ８０４におけるモード切り替えのための選択画面を表示しなくても良い。つまり、ユーザに通常モード・グループＡ・グループＢの選択をさせずに、自動的に業務用モードに切り替えるようにしても良い。
【００７３】
図１０は業務用モード専用のコンテンツデータを更新するための処理の流れを示すフローチャートである。
Ｓ１００１においてＩＯ制御部１０４に装着されたメモリカードを読み込む。Ｓ１００２においてメモリカード内にコンテンツデータがあるかどうかを判定する。Ｓ１００２においてコンテンツデータがないと判定されたらコンテンツ更新処理は何もせずに終了する。Ｓ１００２においてコンテンツデータがあると判定されたらＳ１００３においてコンテンツ更新確認画面を表示する。Ｓ１００４においてコンテンツ更新が指示されなかったらコンテンツ更新処理は何もせずに終了する。Ｓ１００４においてコンテンツ更新が指示されたらＳ１００５においてコンテンツ更新を実行する。
本実施例ではコンテンツの部分更新は行わない。
【００７４】
コンテンツの更新が指示された場合すでに印刷装置内に業務用モード専用コンテンツデータが存在したとしてもすべてが新しいコンテンツに置き換えられる。また、空のコンテンツデータに更新することも可能で、空のコンテンツデータに更新した場合には印刷装置内にあった業務用モード専用コンテンツデータは消去される。業務用モード専用コンテンツデータの消去により、業務用モードで使用している印刷装置が、偶然の操作で通常モードに遷移してしまうことを防止することができる。業務用モードの印刷装置を通常モードに遷移させるためには、まず、図１０において説明した手順で空のコンテンツデータを使って印刷装置内の業務用モード専用コンテンツを消去する。その後、あらかじめ決められた複数のキーを同時に押しながら電源を入れ、通常モードに戻すという段階を追った操作が必要となる。
【００７５】
本実施形態によれば、通常の動作モードとは別に業務用モードのようなモードを持つ印刷装置において、業務用モードで使用するデータが存在しない場合には業務用モードに遷移するための切り替え画面を隠蔽し、業務用モードへの切り替えを不可能とする。従って、所望していない時に誤った操作により業務用モードに遷移することを防止するという効果がある。
【００７６】
また、本発明によればモードを切り替えるための複数の操作部材の数を少なくできるために操作の不備によるモード切り替えの失敗を減らすことができるという効果もある。
【００７７】
＜第４の実施形態＞
第３の実施形態においては、Ｓ８０２において業務用モード専用のコンテンツデータがあり、現在の動作モードが業務用モードである場合にはＳ８０４におけるモード選択画面を表示せずにモード切り替え処理は終了して業務用モードで起動した。しかし、Ｓ８０３において業務用モードであると判定された場合にもＳ８０４に進みモード選択画面を３０２表示するがそのモード選択画面に通常モードの選択肢を表示しないという実施の形態でもよい。
【００７８】
この場合一時的な使用者にモード選択画面の存在を知られてしまうという問題があるが、動作モード切り替え処理プログラムを構成する上で処理シーケンスが簡略化できることが期待でき、一時的な使用者の偶然の操作によるモード変更の抑止という目的は達成できる。
【００７９】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００８０】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８１】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【図１】
2011037238.tif 000003
【図２】
2011037238.tif 000004
【図３】
2011037238.tif 000005
【図４】
2011037238.tif 000006
【図５】
2011037238.tif 000007
【図６】
2011037238.tif 000008
【図７】
2011037238.tif 000009
【図８】
2011037238.tif 000010
【図９】
2011037238.tif 000011
【図１０】
2011037238.tif 000012